(57)【要約】【課題】使用者にとって良好な画面を視聴できる角度を保ちながら送信器の方向を変えることによって、電波を良好に受信器に対し送信することが可能な映像装置を提供する。【解決手段】装置本体１とモニター部５との間に位置し、一方の端部と他方の端部で装置本体１とモニター部５をそれぞれ回動可能に保持するアーム部１０に映像・音声信号を電波に変換して無線で接続できる送信器１３を設けることで、モニター画面の角度を使用者にとって良好な画面を得られる角度にしたままで、電波の受信状態を受信器にとって良好な状態になるように送信器の方向を調整することができ、受信器に対して良好に電波を送信する方向を保ちながらも、使用者にとって良好な画面で映像を視聴できる映像表示装置を提供することができる。【選択図】図１  
2005235271.tif 000002
【特許請求の範囲】
【請求項１】
映像信号および音声信号の少なくとも一方を含む信号を出力する装置本体と、
前記信号を受けてモニター画面で表示するモニター部と、
前記装置本体と前記モニター部との間に位置し、一方の端部と他方の端部で前記装置本体と前記モニター部をそれぞれ回動可能に保持するアーム部と、
前記信号を電波に変換して送信する送信器とを備え、
前記アーム部に前記送信部が設けられていることを特徴とする映像表示装置。
【請求項２】
送信器がアーム部に対して着脱可能に設けられていることを特徴とする請求項１記載の映像表示装置。
【請求項３】
送信器が設けられるアーム部がモニター部に結合され、かつ装置本体に対して着脱可能に構成されていることを特徴とする請求項１または２記載の映像表示装置。
【請求項４】
送信器が設けられるアーム部が装置本体に結合され、かつ前記モニター部に対して着脱可能に構成されていることを特徴とする請求項１または２記載の映像表示装置。
【請求項５】
モニター部が液晶ディスプレイであることを特徴とする請求項１から４のいずれかに記載の映像表示装置。
【請求項６】
送信器が送信する電波を受信する受信器を有して映像を表示する外部映像表示装置を備えたことを特徴とする請求項１から５のいずれかに記載の映像表示装置。
【発明の詳細な説明】
【技術分野】
【０００１】
本発明は、装置本体からの映像信号を用いてモニター部のモニター画面に映像を表示する映像表示装置に関するものである。
【背景技術】
【０００２】
従来の映像表示装置としては、例えばDVD−ビデオディスクなどの記録媒体から再生した映像を室内・室外を問わず、どこでも表示し、かつ液晶モニターのような薄型モニターで表示して視聴できる携帯型の映像表示装置がある（例えば、特許文献１参照）。
【０００３】
以下、従来の映像表示装置を図面を用いて簡単に説明する。図８は、従来の映像表示装置の構成を示す斜視図である。装置本体１０１には、ディスク蓋１０９と、DVDビデオディスクを載置でき、かつ閉蓋後、ディスクからの信号をスイッチの操作にて読み取る読取手段１０７を有する。１１０は、ディスクから読み出された映像信号を用いて映像の信号を表示する液晶モニター等の表示部である。装置本体１０１には、電源スイッチ１０６、音量つまみ１０５、ヘッドホンジャック１０４、直流電源入力端子１０３が設けられている。また、大画面、大音響を楽しむ場合に、映像表示装置から外部のＴＶモニターには映像信号を、ステレオアンプには音声信号を各々出力するための映像外部出力１０８と音声外部出力端子１０２が設けられている。
【０００４】
また、自動車内で使用する場合に、車載されている外部のステレオアンプに音声信号を出力して良質な音声の再生をするために、車室内の既設音響機器とのケーブル接続による音声出力の替わりに、ＦＭトランスミッター等の送信器を携帯型の装置本体１０１に内蔵して、たとえばＦＭ帯域等のラジオ放送帯域のような電波により音声信号をカーラジオのＦＭ受信器に無線で送信できるようにするものもある（例えば、特許文献２参照）。
【特許文献１】特開２００１−２５６７６８号公報
【特許文献２】特開平６−３０９８５４号公報
【発明の開示】
【発明が解決しようとする課題】
【０００５】
しかしながら、従来の映像表示装置、例えば携帯型の映像表示装置では内蔵されているスピーカーは小さいものが多く、臨場感や高音質が得られない場合が生じる。特に車室内で使用する場合、外部の雑音等で性能を発揮することが出来ない場合がある。このような場合に映像信号や音声信号を出力するための端子で例えば車載のTVモニターやカーステレオアンプなどとケーブルで接続しようとすると、狭い車室内では配線が煩わしいという課題があった。
【０００６】
また、ケーブルで接続するかわりに無線による信号の送信を試みる場合、従来は図９のように送信器内蔵の映像表示装置１１４を利用することとなるが、この場合映像表示装置１１４に付属されている送信器からの電波を例えばカーラジオのFM受信器といった受信器１１３にとって良好に受信ができる方向に置く必要がある。この時、送信器が映像表示装置のいずれかに内蔵されている場合は受信器が受信するのに良い方向に置くためには映像表示装置１１４の本体自体の方向を変更する必要がある。
【０００７】
しかし、モニター部が液晶画面であると、使用者にとって良好な画面を得られる角度範囲が限定されており、良好な視野角度を外れると画像の明暗が反転したり白っぽい画像となる不都合がある。
【０００８】
このように、映像信号を表示するモニター部を有する映像表示装置１１４において、送信器からの電波を受信器１１３が良好に受信できる状態で利用しようとすると、モニター部を使用者から良好な視野角度内に画面を位置するように使用することが難しくなる。一方、使用者から良好な視野角度内に位置するように映像表示装置１１４の角度を調節して使用すると、映像表示装置１１４自体を動かすことにより送信器の角度などが変化することにより受信器１１３での電波の受信状態が悪くなる。このように、受信器１１３に良好に受信させながら良好な画面で映像を楽しむことができないという課題があった。
【０００９】
本発明は、上記従来の課題を解決して、モニター画面の角度を使用者にとって良好な画面を得られる角度にしながら、送信器の送信方向を変えることにより電波を良好に受信器に対し送信する角度などを調整することが可能な映像装置を提供することを目的とするものである。
【課題を解決するための手段】
【００１０】
前記従来の課題を解決するために、本発明における映像表示装置は、映像信号および音声信号の少なくとも一方を含む信号を出力する装置本体と、前記信号を受けてモニター画面で表示するモニター部と、前記装置本体と前記モニター部との間に位置し、一方の端部と他方の端部で前記装置本体と前記モニター部をそれぞれ回動可能に保持するアーム部と、前記信号を電波に変換して送信する送信器とを備え、前記アーム部に前記送信部が設けられていることを特徴としたものである。
【００１１】
このように装置本体とモニター部を連結するアーム部を両者に対してともに回動可能な構成とし、アーム部に送信器を設けることによって、モニター画面の角度を使用者にとって良好な画面を得られる角度にしたままで、電波の受信状態を受信器にとって良好な状態にするように送信器の方向を調整することができ、受信器に対して電波の受信状態を良くしながらも、使用者にとって良好な画面で映像を鑑賞できる映像表示装置を提供することができる。
【発明の効果】
【００１２】
本発明の映像表示装置は、装置本体からの映像信号などの信号を、例えばFM帯域に代表されるような電波に変換して無線で送信できる送信器をモニター部と装置本体との間に回動可能に連結されたアーム部に設けることで、モニター部を良好な角度、つまり使用者にとって良好な画像が得られるように維持したままアーム部を回動させて送信方向を変えることができ、送信器を受信器にとって受信状態が良好となるような方向に調整することが可能となる。
【発明を実施するための最良の形態】
【００１３】
第１の発明は、映像信号および音声信号の少なくとも一方を含む信号を出力する装置本体と、前記信号を受けてモニター画面で表示するモニター部と、前記装置本体と前記モニター部との間に位置し、一方の端部と他方の端部で前記装置本体と前記モニター部をそれぞれ回動可能に保持するアーム部と、前記信号を電波に変換して送信する送信器とを備え、前記アーム部に前記送信部を設けた構成にした。これにより、モニター部を使用者にとって良好な画像を得られるように維持したままアーム部を回動させて送信部の角度を変えることが可能となり、使用者にとって良好な画像を得られる角度を変えることなく送信器を受信器の受信状態が良好となるような方向に調節することができる。
【００１４】
第２の発明は、第１の発明における送信器をアーム部より着脱可能な構成とした。これにより、送信器をアーム部に限らず受信状態の良い場所に任意に設置することができるため、使用者にとって良好な画像を得ながら映像・音声を鑑賞することができる。
【００１５】
第３の発明は、第１の発明における送信器を設けたアーム部そのものを着脱可能な構成とした。これより、装置本体とモニター部とを分割することができ、モニター部を使用者にとって自由な位置で利用しながら送信方向を自由に調節できることから、良好な画像を得ながら映像・音声を鑑賞することができる。
【００１６】
第４の発明は、第１から第３のいずれかの発明における送信器が送信する電波を受信する受信器を有して映像を表示する外部映像表示装置を備える構成とした。これにより、アーム部の角度を変更することによって外部映像表示器が有する受信器の受信状態が良くなるように送信器を調節することができる。また、複数個のモニター部を設けた場合にもそれぞれに対して良好な画像を得られるように受信器の受信状態が良好となるような方向に送信器を調節することができる。
【００１７】
以下、本発明の実施の形態について、図面を参照しながら説明する。
【００１８】
（実施の形態１）
図１および図２は本発明の実施の形態１の映像表示装置の構成斜視図で、左後方から見たモニター部を閉じた時の状態と、左前方から見たディスク蓋を開いた時の状態を示すものである。１は装置本体で、蓋回動軸４にて回動保持され開閉するディスク蓋３と、ディスク蓋３を開いた時にディスクを載置でき、閉じた後ディスクから映像・音声信号を読みとり出力する読取手段２を有する。５はディスクから読取手段２が読み取った映像信号を受けてモニター画面で表示するモニター部で、装置本体１とはアーム部１０を介して回動可能に保持される構成となっている。
【００１９】
なお、図２では上下方向にのみ回動可能にモニター部と装置本体を連結しているが、これに限定されず、モニター部が上下方向だけではなく左右方向に回動可能なように連結されてもよい。
【００２０】
１３は送信器で、読み取った信号のうち例えば音声信号をＦＭ帯域等のラジオ放送帯域の電波に変換して、受信器に対して無線で送信できるようになっており、アーム部１０に内蔵されている。９はモニター部５の下部に設けられたスピーカーで、ディスクから読み取られた音声信号が音響出力される。
【００２１】
以上のように構成された映像表示装置について、以下その動作、作用について説明する。
【００２２】
まず、モニター部５を装置本体１から回動して開き、ディスク蓋３を開ける。ディスクを読取手段２に載置してディスク蓋３を閉じる。一方、モニター部５を使用者が良好に画像を鑑賞できる角度に合わせる。スイッチ群１７の操作によってディスクを読み取ることができ、ディスクに記録された映像信号が表示されてモニター部５から映し出され、また音声信号がスピーカー９から音響出力される。そして、送信器１３は例えば音声信号をFM帯域等のラジオ帯域の電波として受信器に対して無線で送信する。
【００２３】
この時、図３（ａ）のようにモニター部５を開けた状態では送信器１３を内蔵するアーム部１０の角度は（ア）でモニター部５の角度は使用者にとって良好な画像が得られる角度（ａ）である。ところがこの状態では電波の送受信の状態がよくない場合、使用者は図３（ｂ）のようにモニター部５の角度を変えることなくアーム部１０を前方に倒すことにより送信器１３の角度を変えることができる。この時、モニター画面の角度は（ａ）と同様に使用者にとって良好な画像が得られる角度（ｂ）となり、アーム部１０の角度は（イ）となる（（ａ）＝（ｂ）、（ア）＞（イ））。さらに、この状態でも電波の送受信の状態が良くない場合、使用者は図３（ｃ）のように受信器に対して受信状態が良くなるような方向に調整することができる。この時モニター画面の角度は（ａ）や（ｂ）と同様に使用者にとって良好な画像が得られる角度（ｃ）となり、アーム部の角度は（ウ）となる（（ａ）＝（ｂ）＝（ｃ）、（ア）＞（イ）＞（ウ））。
【００２４】
以上のように本実施の形態によれば、送信器を設けたアーム部１０が回動可能なため、使用者にとって良好な画像が得られるモニター部の方向を変えることなく送信器１３を内蔵するアーム部１０の角度を、受信器にとって受信状態がよくなるように最適な方向に調整することができる。また、装置本体をたてかけるようにすれば図４のようにしてもモニターの角度を変えずに送信器の位置を調整することができる（（ａ）＝（ｂ）＝（ｃ）＝（ｄ）、（ア）＞（イ）＞（ウ）＞（エ））。このような構成にすることにより、使用者にとってモニター部５の画面で良好な画像を得られる角度を変えることなく送信器１３を受信器の受信状態が良好となるような方向に調節することが可能となる。
【００２５】
（実施の形態２）
図５（ａ）、（ｂ）は本発明の実施の形態２の映像表示装置を説明する図面で、図５（ａ）は左後方から見たモニター部を閉じた時の状態を示す構成斜視図であり、図５（ｂ）は側面の概略図を示すものである。なお、実施の形態１と同じ構成部分には同じ符号を付し、その説明は省略する。
【００２６】
１４はアーム部４に着脱可能に送信器である。室内や車室内で例えばＦＭ帯域等のラジオ放送帯域の電波に変換して無線で送信して使用する時には、送信器１４をアーム部４に取り付け、アーム部４または本体からコネクタあるいは接続ケーブルによって信号を受けて送信する。この場合には、送信器１４は取り外しておくことが可能であり、ディスクに記録された映像信号を読み取り、モニター部５にて映し出し、音声信号がスピーカーから音響出力されるという通常動作を行う。本実施の形態のように、送信器１４を着脱可能とすることでアーム部４を薄く、軽く、コンパクトにすることができる。
【００２７】
本実施の形態では、送信器をアーム部の背面に着脱可能な構成にしており、またその着脱の手段としてはスナップやネジ止めなどが考えられるが、それに限定されず、他の着脱可能な構成を任意に使用できる。
【００２８】
（実施の形態３）
図６（ａ）、（ｂ）は本発明の実施の形態３の映像表示装置を説明する図面で、側面からの概略図を各々示すものである。なお、実施の形態１と同じ構成部材には同じ符号を付し、その説明は省略する。
【００２９】
図６（ａ）は送信器１３を設けたアーム部１０がモニター部５と結合されながらも装置本体１に対して着脱可能な構成にすることにより、装置本体１とモニター部５とを分離することができるものである。着脱の手段としては、スナップやネジ止めなどが考えられるが、それに限定されず、他の着脱可能な構成を任意に使用できる。
【００３０】
このような構成により、送信器１３を設けたアーム部１０は第２の回動軸１２を中心に、モニター部５の角度を変えることなく、約１８０度可動することができ、受信状態の良い方向に送信器を調節することが簡単に行うことができる。
【００３１】
一方、図６（ｂ）は送信器１３を設けたアーム部１０が、装置本体１と結合されながらもモニター部５に対して着脱可能な構成にすることにより、装置本体１とモニター部５とを分離することができるものである。
【００３２】
このように構成することで、送信器１３を設けたアーム部１０が回動軸１１を中心に１８０度以上可動することができ、送信器の角度の調整をより簡単かつ広範囲に行うことができる。このとき、アーム部１０とモニター部５とはたとえば無線もしくは／または有線で接続されており、モニター部５は固定されていても、送信器１３を備える本体１は持ち運び自由であり、良好な画面を鑑賞することができて、かつ良好に受信できるような送信器の最適な箇所を見つけ出すのに、非常に優れた構成である。
【００３３】
（実施の形態４）
図７（ａ）、（ｂ）は本発明の実施の形態４を説明する図面で、図７（ａ）は側面の概略図、図７（ｂ）は本実施の形態の使用説明図を示すものである。なお、実施の形態１と同じ構成部材は同じ符号を付し、その説明は省略する。
【００３４】
図７（ａ）は装置本体１とモニター部を連結する回動可能なアーム部１０を有し、例えばＦＭ帯域等のラジオ放送帯域の電波に変換して無線で送信できる送信器１５、１６を前記モニター部５およびアーム部１０の両方に設けた構成としたものである。
【００３５】
このような構成とすることにより、図７（ｂ）に示すように、モニター部５だけではなくたとえば車の後方座席の人が良好な角度で画面を視聴できるように既に保持された装置本体１に付属していない外部映像表示装置６，７，８に受信器を設けることにより、一台の装置本体１で複数個の外部映像表示装置６，７，８へ信号を送信するが可能となる。
【００３６】
この場合にアーム部１０は自由に角度調節ができるため、アーム部１０を外部映像表示装置６、７、８に最適に受信器が電波を受信できるように角度調節することにより良好な画像を各モニターで視聴することができる。このような構成にすることにより、全ての外部映像表示装置に良好な画像が視聴できるように送信器の位置を調節するだけではなく、例えば誰も視聴していない外部映像表示装置８には良好な映像が得られないが、視聴している外部映像表示装置６、７に良好な映像が得られるようにアーム部１０を位置させることが可能となり、使用者にとって良好な画面を視聴しながら良好な映像を提供することができる。なお、外部映像表示装置にスピーカーが付属している場合は、音声信号を外部映像表示装置に送信することも可能である。
【００３７】
なお、本発明は以上の実施の形態のような構造に限定されるものではなく、例えば回動可能に接続された部分がボール状になっており、自由にアーム部の方向を変えることができるもの等も含まれ、またモニター部も液晶画面の他、プラズマディスプレイ等のモニター画面を用いる場合も含まれる。
【００３８】
なお、アーム部はモニターの画面の幅まで占有することも可能であるから、送信部領域を広くとることもでき、従来よりも送信状態を良好にすることができる。
【産業上の利用可能性】
【００３９】
以上のように、本発明の映像表示装置は、装置本体とモニター部をそれぞれ回動可能に保持するアーム部を設け、このアーム部に信号を送信する送信器を設けることにより、使用者はモニター部の画面を良好な状態で見ながら受信器にとって良好な送信器の方向調節を装置本体側で広範囲かつ簡単に行うことが可能となり、様々な有線および／または無線による音声・映像出力を利用する映像表示装置に適用できる。
【図面の簡単な説明】
【００４０】
【図１】本発明の実施の形態１における映像表示装置の構成斜視図
【図２】同実施の形態１における映像表示装置の構成斜視図
【図３】（ａ）、（ｂ）、（ｃ）は本発明の実施の形態１におけるモニターおよびアーム部の動作の略側面図
【図４】動作状態の略側面図
【図５】（ａ）は本発明の実施の形態２における映像表示装置の構成斜視図  （ｂ）は動作状態の略側面図
【図６】（ａ）、（ｂ）は本発明の実施の形態４における映像表示装置の動作状態の略側面図
【図７】（ａ）は本発明の実施の形態４における映像表示装置の動作の略側面図  （ｂ）は使用説明図
【図８】従来の映像表示装置の構成斜視図
【図９】従来の映像表示装置の使用説明図
【符号の説明】
【００４１】
１    装置本体
２    読取手段
３    ディスク蓋
４    蓋回動軸
５    モニター部
６、７、８    外部映像表示装置
９    スピーカー
１０    アーム部
１１    第１の回動可能に接続された部分
１２    第２の回動可能に接続された部分
１３，１４，１５，１６    送信器
１７    スイッチ群
１０１    装置本体
１０２    音声外部出力端子
１０３    直流電源入力端子
１０４    ヘッドフォンジャック
１０５    音量つまみ
１０６    電源スイッチ
１０７    表示手段
１０８    映像外部出力端子
１０９    ディスク蓋
１１０    モニター部
１１１    スピーカー
１１２    ヒンジ部
１１３    受信器
１１４    送信器を内蔵した映像表示装置
【図１】
2005235271.tif 000003
【図２】
2005235271.tif 000004
【図３】
2005235271.tif 000005
【図４】
2005235271.tif 000006
【図５】
2005235271.tif 000007
【図６】
2005235271.tif 000008
【図７】
2005235271.tif 000009
【図８】
2005235271.tif 000010
【図９】
2005235271.tif 000011